(57)【要約】【課題】本発明は、ノック体の押圧作動のみで、ペン先部を軸筒先端開口部より出没可能な回転カムによる出没機構を具備したノック式筆記具において、回転カムの突起が移動する時に生じる衝撃を緩和することができる、ノック式筆記具を提供することである。【解決手段】カム溝より軸筒後端側に、前記カム溝の斜面に対して反対方向に傾斜する斜面を有する押圧体溝を形成し、ノック体又は押圧体に形成した突起が前記押圧体溝に沿って移動することによって、前記ノック体又は押圧体が回転し、該ノック体又は押圧体の回転に連動して前記回転カムが回転するものである。【選択図】        図１
2008100410.tif 000002
【特許請求の範囲】
【請求項１】
軸筒内に回転カムを前後に摺動案内し回転させるカム溝を形成し、該カム溝に回転カムの突起を係合して配設し、前記軸筒の後端開口部より外方に突出して配設したノック体を押圧して、ノック体で直接又は押圧体を介して前記回転カムを摺動及び回転させ、軸筒内にコイルスプリングにより軸筒後端側に付勢して収納した筆記具用レフィルのペン先部を軸筒先端開口部より出没可能とした回転カムによる出没機構を具備したノック式筆記具において、前記カム溝より軸筒後端側に、前記カム溝の斜面に対して反対方向に傾斜する斜面を有する押圧体溝を形成し、前記ノック体又は押圧体に形成した突起が前記押圧体溝に沿って移動することによって、前記ノック体又は押圧体が回転し、該ノック体又は押圧体の回転に連動して前記回転カムが回転することを特徴とするノック式筆記具。
【請求項２】
前記押圧体と回転カム間に、衝撃吸収のための弾性体を配設したことを特徴とする請求項１に記載のノック式筆記具。
【発明の詳細な説明】
【技術分野】
【０００１】
本発明は、回転カムからなる出没機構を具備したノック式筆記具に関する。
【背景技術】
【０００２】
従来から、ノック体を押圧することにより、ボールペンレフィル等の筆記体のペン先部を軸筒先端開口部より出没させる回転カムによる出没機構を具備したノック式筆記具については、よく知られている。
【０００３】
こうしたノック式筆記具は、ペン先部を出没させるためのノック機構の作動時に衝撃が発生し、酷い場合にはインキ逆流が発生することがあった。こうした問題を鑑みて、ノック機構の作動時の衝撃を吸収するために、特開平８−１６４６９７号公報「ノック式筆記具」や本願出願人も特開２００３−３２６８９０号「ノック式筆記具」にてノック作動時の衝撃を吸収する構造を開示している。
【０００４】
また、回転カムを使用しない出没機構として、実開平５−８２５９０号「ボールペン」にて押圧作動と回転作動によってボールペンチップを軸筒先端開口部より出没させる構造が開示されている。
【特許文献１】「特開平８−１６４６９７号公報」
【特許文献２】「特開２００３−３２６８９０号公報」
【特許文献３】「実開平５−８２５９０号公報」
【発明の開示】
【発明が解決しようとする課題】
【０００５】
ところで、回転カムからなる出没機構とは、例えば、軸筒の内壁面に回転カムを前後に摺動案内し回転させるためのカム溝を形成し、該カム溝に回転カムに形成した突起を係合して配設するとともに、回転カムの後方に、回転カムを摺動し回転を付与するためのカム部を有した押圧体を配設し、該押圧体の後方にノック体を配設する構造のものである。
【０００６】
ペン先部を軸筒先端開口部から出没させるには、コイルスプリングによって軸筒後端側へ付勢して配設したノック体を押圧してノック体に連動した押圧体及び押圧体に連動した回転カムの突起をカム溝に沿って摺動させ、カム部によって回転カムに回転力を与えることによって、突出時には深溝から浅溝へ、没入時は浅溝から深溝へ回転カムの突起を移動させることによって、ペン先部を軸筒先端開口部より出没可能とするものであり、特許文献３に開示されているような複雑な操作を必要とせずにノック体の押圧作動のみでペン先部を出没可能とすることができる。
【０００７】
本発明者は、複雑な操作が必要なく、ノック体の押圧作動のみでペン先部を出没可能な回転カムによる出没機構を具備したノック式筆記具のノック作動時における衝撃について鋭意研究した結果、回転カムによる出没機構を具備したノック式筆記具は、ペン先部が突出した状態から没入する時のみならず、前述した深溝から浅溝に回転カムの突起が移動して静止する時に、回転カムは、押圧体とは連動せず独立して、浅溝の斜面を移動して壁面に当接して静止するため、ノック体の押圧力による緩和が得られず、衝撃が大きいことが解り本発明に到った。
【０００８】
本発明は上記問題に鑑み、ノック体の押圧作動のみで、ペン先部を軸筒先端開口部より出没可能な回転カムによる出没機構を具備したノック式筆記具において、回転カムの突起が移動する時に生じる衝撃を緩和することができる、ノック式筆記具を提供するものである。
【課題を解決するための手段】
【０００９】
前記目的を達成するために本発明では、軸筒内に回転カムを前後に摺動案内し回転させるカム溝を形成し、該カム溝に回転カムの突起を係合して配設し、前記軸筒の後端開口部より外方に突出して配設したノック体を押圧して、ノック体で直接又は押圧体を介して前記回転カムを摺動及び回転させ、軸筒内にコイルスプリングにより軸筒後端側に付勢して収納した筆記具用レフィルのペン先部を軸筒先端開口部より出没可能とした回転カムによる出没機構を具備したノック式筆記具において、前記カム溝より軸筒後端側に、前記カム溝の斜面に対して反対方向に傾斜する斜面を有する押圧体溝を形成し、前記ノック体又は押圧体に形成した突起が前記押圧体溝に沿って移動することによって、前記ノック体又は押圧体が回転し、該ノック体又は押圧体の回転に連動して前記回転カムが回転するものである。
【００１０】
また、前記押圧体と回転カム間に、衝撃吸収のための弾性体を配設したことを特徴とする。
【発明の効果】
【００１１】
本発明の筆記具は前述したような構造なので、ノック体の押圧作動のみで、ペン先部を軸筒先端開口部より出没可能な回転カムによる出没機構を具備したノック式筆記具において、回転カムの突起が移動する時に生じる衝撃を緩和することができる、ノック式筆記具を提供することができた。
【発明を実施するための最良の形態】
【００１２】
本発明の実施例を図面を用いて説明する。同じ部材、同じ箇所を示すものは同じ符号を付す。
【００１３】
図１から図４に示す実施例１のノック式筆記具１は、軸筒２の先端部の雄ねじ部２ａに口先部材３の雌ねじ３ｂを螺着し、軸筒２の後端部の嵌合穴２ｂに内鞘４の突起４ａを装着して軸筒本体を構成し、この内鞘４の内壁面に回転カム６を前後に摺動案内し回転させるためのカム溝Ｋと、押圧体７を回転させるための押圧体溝Ｍを形成してある。
【００１４】
カム溝Ｋには、回転カム６に形成した突起６ａを係合し、回転カム６の後方には、回転カム６と連動する押圧体７を配設するとともに、押圧体７の後方には、後端部が内鞘４後端より外方に突出した状態にノック体５を配設してある。回転カム６と押圧体７は、回転カム６の凹凸部６ｂと押圧体７の凸凹部７ｂによって凹凸係合することによって連動するようにしてある。
【００１５】
回転カム６の前方には、インキ収容筒８の先端にボールを回転自在に抱持したボールペンチップからなるペン先部９を装着し、内部に筆記具用インキ（図示せず）を直に収容した筆記体をコイルスプリング１０により内鞘後端４ａ方向へ付勢して、摺動自在に配設してある。また、軸筒２の把持部にはグリップ部材１１を配設し、内鞘４にはクリップ１２を一体に形成してある。
【００１６】
ペン先部９を口先部材３の先端開口部から突出させるには、コイルスプリング１０によって内鞘４の後端側へ付勢して配設したノック体５を指等で口先部材３の先端開口部３ａ側に押圧して、ノック体５に連動した押圧体７及び押圧体７に連動した回転カム５を口先部材３の先端開口部３ａ側に前進させる。
【００１７】
この時、図５−１に示すように、ノック体５の押圧（矢印Ａ方向）によって、ノック体５と連動する押圧体７が口先部材３の先端開口部３ａ方向に前進し、図５−２に示すように、押圧体７の外壁に形成した突起７ａが押圧体溝Ｍに当接する。さらにノック体５を押圧すると、押圧体７の外壁に形成した突起７ａが、カム溝Ｋの浅溝ｋ１と反対側に傾斜した押圧体溝Ｍの斜面に沿って移動（矢印Ｂ方向）するため、押圧体７が回転する。また、押圧体７に連動する回転カム６も押圧体７の前進に連動し、回転カム６の突起６ａが、カム溝Ｋの深溝ｋ２に沿って前進するとともに、押圧体７の回転に連動して回転する。
【００１８】
その後、ノック体５の押圧力を解除すると、図５−３に示すように、コイルスプリング１０の付勢力によって、回転カム６の突起６ａは浅溝ｋ１に沿って移動（矢印Ｃ方向）するため、回転カム６は回転しながら後退して、回転カム６の突起７が浅溝ｋ１の壁面ｐに当接して静止し、ペン先部９の突出を維持することができる。また、回転カム６の回転及び後退に連動して、押圧体７も回転及び後退する。
【００１９】
また、ペン先部９が口先部材３の先端開口部３ａから突出した状態で、ノック体５を押圧すると、図６−１に示すように、ノック体５と連動する押圧体７が口先部材３の先端開口部３ａ方向に前進し、押圧体７の外壁に形成した突起７ａが押圧体溝Ｍに当接する。さらにノック体５を押圧すると、押圧体７の外壁に形成した突起７ａが押圧体溝Ｍの斜面に沿って移動（矢印Ｄ方向）し、回転する。また、押圧体７に連動する回転カム６も、押圧体７の移動及び回転に連動して移動及び回転する。
【００２０】
その後、ノック体５の押圧力を解除すると、図６−２に示すように、コイルスプリング１０の付勢力によって、インキ収容筒８が内鞘４の後端側に後退し、回転カム６及び押圧体７を後退させる。さらに、コイルスプリング１０の付勢力によって、回転カム６の突起６ａは浅溝ｋ１に沿って移動（矢印Ｅ方向）し、図６−３に示すように、深溝ｋ２の底面ｑ方向に移動（矢印Ｆ方向）してペン先部９を没入することができる。尚、図５、図６における回転カム６の突起６ａ内及び押圧体７の突起７ａ内の番号（１〜１０）は、回転カム６の突起６ａ及び押圧体７の突起７ａの移動順を示しているものである。
【００２１】
カム溝Ｋより軸筒後端側に、カム溝Ｋの浅溝ｋ１の斜面に対して反対方向に傾斜する斜面を有する押圧体溝Ｍを形成し、押圧体７と回転カム６を連動して回転及び移動するので、回転カム６が独立して移動することなく、回転カム６の回転時の衝撃を吸収することができる。
【００２２】
また、押圧体７の突起７ａが押圧体溝Ｍに当接している状態では、ノック体５を指等で押圧しているため、押圧体７には口先部材３の先端開口部３ａ方向への押圧力が加わっているので、衝撃及び衝撃音を緩和することができる。
【００２３】
図６に示す実施例２は、回転カム２６と押圧体２７間に、衝撃吸収のための弾性体２８を配設し、押圧体２６の回転に連動して、弾性体２８を介して回転カム２７が回転するようにした以外は実施例１と同様にしてノック式筆記具２１を得ている。
【００２４】
回転カム２６と押圧体２７間に、衝撃吸収のための弾性体２８を配設ことによって、ペン先部の没入時や落下等による衝撃を吸収することができるので好ましい。尚、弾性体は、シリコーンゴム、ブチルゴム、熱可塑性エラストマー等、適宜選択して用いることが出来る。
【００２５】
尚、本実施例では、便宜上、回転カムと押圧体を凹凸係合によって連動するようにしてあるが、押圧体の回転に連動して回転カムが回転すれば、係合方法は特に限定されるものではなく、ネジ嵌合や乗り越し嵌合等、適宜選択して用いることができ、押圧体と回転カムを一体に形成してもよい。但し、回転カムと押圧体を別体で形成することによって、カム溝と押圧体溝を形成することによって生じる段部を乗り越すことなく、回転カムは軸筒先端側から、押圧体は軸筒後端側から配設でき、組立性が向上するので、回転カムと押圧体を別体で形成することが好ましい。
【００２６】
また、本実施例ではノック体と押圧体を別体に形成してあるが、ノック体と押圧体を一体に形成してもよいが、ノック体と押圧体を別体で形成することによって、押圧体が回転する時にノック体が回転しないので、ノック体の操作性が向上するので好ましい。
【産業上の利用可能性】
【００２７】
本発明のノック式筆記具は、ボールペンやマーカーなど、インキの種類やペン先形状に限定されることなく使用することができるが、ノック作動による衝撃が小さいため、インキ収容筒にインキを直に収容するタイプの筆記具に用いることが特に効果的である。
【図面の簡単な説明】
【００２８】
【図１】実施例１のノック式筆記具を示す、縦断面図である。
【図２】図１におけるペン先部が突出した状態を示す図である。
【図３】図１における、一部省略した要部拡大断面図である。
【図４】図１における組立の状態を示す図である。
【図５】本発明の回転カムによる突出時の出没機構を示すカム溝及び押圧体溝の展開図である。
【図６】本発明の回転カムによる没入時の出没機構を示すカム溝及び押圧体溝の展開図である。
【図７】実施例２のノック式筆記具を示す、一部省略した要部拡大断面図である。
【符号の説明】
【００２９】
１、２１  ノック式筆記具
２  軸筒
３  口先部材
３ａ  先端開口部
４  内鞘
５  ノック体
６、２６  回転カム
７、２７  押圧体
８  インキ収容筒
９  ペン先部
１０  コイルスプリング
２８  弾性体
Ｋ  カム溝
ｋ１  浅溝
ｋ２  深溝
Ｍ  押圧体溝
ｐ  浅溝の壁面
ｑ  深溝の底面
【図１】
2008100410.tif 000003
【図２】
2008100410.tif 000004
【図３】
2008100410.tif 000005
【図４】
2008100410.tif 000006
【図５】
2008100410.tif 000007
【図６】
2008100410.tif 000008
【図７】
2008100410.tif 000009